【手続補正書】
【提出日】平成26年6月2日(2014.6.2)
【手続補正１】
【補正対象書類名】特許請求の範囲
【補正対象項目名】全文
【補正方法】変更
【補正の内容】
【特許請求の範囲】
【請求項１】
物体側から像側へ順に、正の屈折力の第１レンズ群、負の屈折力の第２レンズ群、反射素子、２以上のレンズ群と開口絞りを含む後続レンズ群を有し、ズーミングに際して、前記反射素子が不動であり、前記第１レンズ群と前記第２レンズ群と前記後続レンズ群を構成する２以上のレンズ群が移動することによって隣り合うレンズ群の間隔が変化するズームレンズにおいて、
広角端から望遠端へのズーミングにおける前記第１レンズ群と前記第２レンズ群の移動量を各々Ｍ１、Ｍ２、広角端と望遠端における前記第２レンズ群の結像倍率を各々β２ｗ、β２ｔ、最も物体側のレンズ面から前記開口絞りまでの広角端における光軸上の距離をＬＳｗ、広角端から望遠端へのズーミングにおける前記開口絞りの移動量をＭｓ、広角端と望遠端における全系の焦点距離を各々ｆｗ、ｆｔとしたとき、
１．４＜Ｍ１／Ｍ２＜２０．０
０．２０＜（Ｍ２＋Ｍｓ）／ＬＳｗ＜０．４４
０．２０＜（β２ｔ／β２ｗ）／（ｆｔ／ｆｗ）＜０．４４
なる条件式を満足することを特徴とするズームレンズ。
【請求項２】
広角端における前記ズームレンズの全長をＯＡＬｗとするとき、
０．４０＜ＬＳｗ／ＯＡＬｗ＜０．６６
なる条件式を満足することを特徴とする請求項１に記載のズームレンズ。
【請求項３】
前記第２レンズ群を構成する正レンズのうち、材料のアッベ数が最も小さい正レンズの材料のアッベ数をνｄ２ｐとするとき、
１０．０＜νｄ２ｐ＜２０．０
なる条件式を満足することを特徴とする請求項１又は２に記載のズームレンズ。
【請求項４】
前記第２レンズ群を構成するレンズの材料の屈折率の平均値をｎｄ２ａｖｅとするとき、
１．８３＜ｎｄ２ａｖｅ＜２．３０
なる条件式を満足することを特徴とする請求項１乃至３のいずれか１項に記載のズームレンズ。
【請求項５】
前記第１レンズ群を構成する正レンズのうち、材料のアッベ数が最も大きい正レンズの材料のアッベ数と屈折率を各々νｄ１ｐ、ｎ１ｄｐとするとき、
６０．０＜νｄ１ｐ＜１００．０
１．４０＜ｎｄ１ｐ＜１．７０
なる条件式を満足することを特徴とする請求項１乃至４のいずれか１項に記載のズームレンズ。
【請求項６】
前記第１レンズ群の焦点距離をｆ１、前記第２レンズ群の焦点距離をｆ２とするとき、
３．５０＜ｆ１／｜ｆ２｜＜８．００
なる条件式を満足することを特徴とする請求項１乃至５のいずれか１項に記載のズームレンズ。
【請求項７】
前記第２レンズ群の焦点距離をｆ２、前記第２レンズ群の光軸上の厚さをＤ２とするとき、
０．６０＜｜ｆ２｜／Ｄ２＜１．２０
なる条件式を満足することを特徴とする請求項１乃至６のいずれか１項に記載のズームレンズ。
【請求項８】
前記ズームレンズの沈胴に際して前記反射素子が移動し、前記反射素子が移動して生じた空間側に前記第１レンズ群および前記第２レンズ群が移動することを特徴とする請求項１乃至７のいずれか１項に記載のズームレンズ。
【請求項９】
前記後続レンズ群は、物体側から像側へ順に、負の屈折力の第３レンズ群、正の屈折力の第４レンズ群、負の屈折力の第５レンズ群、正の屈折力の第６レンズ群より構成されることを特徴とする請求項１乃至８のいずれか１項のズームレンズ。
【請求項１０】
前記後続レンズ群は、物体側から像側へ順に、正の屈折力の第３レンズ群、正の屈折力の第４レンズ群より構成されることを特徴とする請求項１乃至８のいずれか１項のズームレンズ。
【請求項１１】
前記後続レンズ群は、物体側から像側へ順に、正の屈折力の第３レンズ群、負の屈折力の第４レンズ群、正の屈折力の第５レンズ群より構成されることを特徴とする請求項１乃至８のいずれか１項のズームレンズ。
【請求項１２】
請求項１乃至１１のいずれか１項に記載のズームレンズと、該ズームレンズによって形成された像を受光する固体撮像素子を有することを特徴とする撮像装置。
【手続補正２】
【補正対象書類名】明細書
【補正対象項目名】００１３
【補正方法】変更
【補正の内容】
【００１３】
本発明のズームレンズは、物体側から像側へ順に、正の屈折力の第１レンズ群、負の屈折力の第２レンズ群、反射素子、２以上のレンズ群と開口絞りを含む後続レンズ群を有し、ズーミングに際して、前記反射素子が不動であり、前記第１レンズ群と前記第２レンズ群と前記後続レンズ群を構成する２以上のレンズ群が移動することによって隣り合うレンズ群の間隔が変化するズームレンズにおいて、
広角端から望遠端へのズーミングにおける前記第１レンズ群と前記第２レンズ群の移動量を各々Ｍ１、Ｍ２、広角端と望遠端における前記第２レンズ群の結像倍率を各々β２ｗ、β２ｔ、最も物体側のレンズ面から前記開口絞りまでの広角端における光軸上の距離をＬＳｗ、広角端から望遠端へのズーミングにおける前記開口絞りの移動量をＭｓ、広角端と望遠端における全系の焦点距離を各々ｆｗ、ｆｔとしたとき、
１．４＜Ｍ１／Ｍ２＜２０．０
０．２０＜（Ｍ２＋Ｍｓ）／ＬＳｗ＜０．４４
０．２０＜（β２ｔ／β２ｗ）／（ｆｔ／ｆｗ）＜０．４４
なる条件式を満足することを特徴としている。
【手続補正３】
【補正対象書類名】明細書
【補正対象項目名】００１６
【補正方法】変更
【補正の内容】
【００１６】
以下に、本発明の好ましい実施の形態を、添付の図面に基づいて詳細に説明する。本発明のズームレンズは、物体側から像側へ順に、正の屈折力の第１レンズ群、負の屈折力の第２レンズ群を有する。更に反射ミラーや反射プリズム等からなり光軸を９０度又は９０度±１０度以内で折り曲げる光路折り曲げ用の反射素子、２以上のレンズ群と開口絞りを含む後続レンズ群を有している。ズーミングに際して反射素子は不動であり、第１レンズ群と第２レンズ群と後続レンズ群を構成する２以上のレンズ群が移動することによって隣り合うレンズ群の間隔が変化する。
【手続補正４】
【補正対象書類名】明細書
【補正対象項目名】００３２
【補正方法】変更
【補正の内容】
【００３２】
図１５に示した実施例８は５群ズームレンズである。図１５のレンズ断面図において、Ｌ１は正の屈折力の第１レンズ群、Ｌ２は負の屈折力の第２レンズ群、ＵＲは反射素子である。後続レンズ群ＬＲは正の屈折力の第３レンズ群Ｌ３、負の屈折力の第４レンズ群Ｌ４、正の屈折力の第５レンズ群Ｌ５を有している。
【手続補正５】
【補正対象書類名】明細書
【補正対象項目名】００４０
【補正方法】変更
【補正の内容】
【００４０】
具体的には、広角端から望遠端へのズーミングにおける第１レンズ群Ｌ１と第２レンズ群Ｌ２の移動量を各々Ｍ１、Ｍ２とする。広角端と望遠端における第２レンズ群Ｌ２の結像倍率を各々β２ｗ、β２ｔとする。最も物体側のレンズ面から開口絞りＳＳまでの広角端における距離をＬＳｗとする。広角端から望遠端へのズーミングにおける開口絞りＳＳの移動量（絶対値）をＭｓとする。
【手続補正６】
【補正対象書類名】明細書
【補正対象項目名】００５２
【補正方法】変更
【補正の内容】
【００５２】
第２レンズ群Ｌ２に含まれる正レンズのうち材料のアッベ数が最も小さい正レンズの材料のアッベ数をνｄ２ｐとする。第２レンズ群Ｌ２に含まれる（構成する）レンズの材料の屈折率の平均値をｎｄ２ａｖｅとする。第１レンズ群Ｌ１に含まれる正レンズのうち、材料のアッベ数が最も大きい正レンズの材料のアッベ数と屈折率を各々、νｄ１ｐ、ｎ１ｄｐとする。第１レンズ群Ｌ１の焦点距離と第２レンズ群Ｌ２の焦点距離を各々ｆ１、ｆ２とする。第２レンズ群Ｌ２の光軸上の厚さ（物体側のレンズ面頂点から像側のレンズ面頂点までの距離）をＤ２とする。このとき、以下の条件式のうち１以上を満足するのが良い。
【手続補正７】
【補正対象書類名】明細書
【補正対象項目名】００５８
【補正方法】変更
【補正の内容】
【００５８】
条件式（６）は、第２レンズ群Ｌ２に含まれる全てのレンズの材料の屈折率の平均値を規定した条件式である。第２レンズ群Ｌ２に含まれる全てのレンズの材料の屈折率の平均値を条件式（６）を満足するように構成すると、第２レンズ群Ｌ２の群厚の薄型化、つまりカメラの薄型化と広角端における像面彎曲の補正が容易になる。
【手続補正８】
【補正対象書類名】明細書
【補正対象項目名】００５９
【補正方法】変更
【補正の内容】
【００５９】
条件式（６）の下限を超えると、屈折率の平均値が低くなりすぎ、第２レンズ群Ｌ２の群厚が大きくなるとともに広角端において像面彎曲が補正困難となる。一方、上限を超えると、屈折率の平均値が高くなりすぎ、全系でのペッツバール和が正の方向に増大し、ズーム全域において像面彎曲の補正が困難になる。
【手続補正９】
【補正対象書類名】明細書
【補正対象項目名】００６２
【補正方法】変更
【補正の内容】
【００６２】
条件式（８）は、第１レンズ群Ｌ１に含まれる正レンズのうち、材料のアッベ数が最も大きい正レンズの材料の屈折率を規定した条件式である。アッベ数が最も大きい正レンズの材料の屈折率を条件式（８）を満足するように構成すると、第１レンズ群Ｌ１の群厚の薄型化と望遠端における球面収差、コマ収差の補正が容易になる。このとき、第１レンズ群Ｌ１は非撮影時の沈胴レンズ群であるため、第１レンズ群Ｌ１の群厚の薄型化によりカメラ厚を薄型化することが容易になる。
【手続補正１０】
【補正対象書類名】明細書
【補正対象項目名】００９０
【補正方法】変更
【補正の内容】
【００９０】
νｄ＝（Ｎｄ−１）／（ＮＦ−ＮＣ）
である。ここでＮｄをフラウンホーファーのｄ線（波長５８７．６ｎｍ）に対する屈折率、ＮＦをフラウンホーファーのＦ線（波長４８６．１ｎｍ）に対する屈折率、ＮＣをフラウンホーファーのＣ線（波長６５６．３ｎｍ）に対する屈折率とする。ＢＦはバックフォーカスであり、最終レンズから像面までの空気換算の距離で表している。
【手続補正１１】
【補正対象書類名】明細書
【補正対象項目名】００９３
【補正方法】変更
【補正の内容】
【００９３】
非球面データ
第7面
K = 0.00000e+000  A 4=-1.08503e-004  A 6=-6.19351e-006  A 8= 2.36397e-007  A10=-1.20711e-008  
第16面
K =-4.71075e-001  A 4=-5.10203e-005  A 6= 1.18500e-007  A 8=-1.31444e-008  
第17面
K =-1.87937e+001  A 4= 3.60355e-005  
第26面
K = 0.00000e+000  A 4=-9.54239e-005  A 6=-9.58971e-007  A 8= 8.96786e-009  
各種データ
ズーム比      9.42 
広角     中間     望遠
焦点距離       4.43    16.29    41.71  
Fナンバー      3.11     4.91     6.07  
半画角        36.96    13.38     5.31  
像高           3.33     3.88     3.88  
レンズ全長    73.53    79.52    86.37  
BF           10.18      5.71    4.96
d 5            0.50    10.31    17.16  
d11            4.75     0.94     0.93  
d15           12.80     5.24     0.32  
d23            0.91     8.47    13.39  
d25            5.56    10.03    10.79  
d27            7.65     3.18     2.43   
入射瞳位置    15.01    42.25    89.55  
射出瞳位置   -63.23    64.31    46.98  
前側主点位置  19.14    62.70   168.69  
後側主点位置  -3.93   -15.79   -41.21  
ズームレンズ群データ
群  始面    焦点距離  レンズ構成長  前側主点位置  後側主点位置
L1    1      36.47         8.00         1.44         -3.58
L2    6      -6.59         7.94         0.45         -6.18
UR   12       ∞           8.00         2.18         -2.18
L3   14     -76.93         0.60        -0.48         -0.83
L4   16      12.26         9.29         2.39         -6.03
L5   24     -14.81         0.70         0.35         -0.08
L6   26      14.68         3.35         1.08         -1.27
G   28       ∞           2.30         1.01         -1.01
単レンズデータ
レンズ  始面  焦点距離
1       1    -58.43
2       2     52.34
3       4     36.66
4       6     -7.14
5       8     -8.71
6      10     11.09
7      12      0.00
8      14    -76.93
9      16     12.92
10      19    -24.98
11      21     10.85
12      22    -25.56
13      24    -14.81
14      26     14.68
15      28      0.00
16      30      0.00
【手続補正１２】
【補正対象書類名】明細書
【補正対象項目名】００９５
【補正方法】変更
【補正の内容】
【００９５】
非球面データ
第7面
K = 0.00000e+000  A 4=-5.94099e-005  A 6=-2.81478e-006  A 8= 1.22686e-007  A10=-2.51021e-009  
第16面
K =-3.43698e-001  A 4=-3.65178e-005  A 6=-7.24008e-007  A 8= 1.20830e-008  
第17面
K =-3.02555e+001  A 4= 2.39378e-005  
第26面
K = 0.00000e+000  A 4=-6.71413e-005  A 6=-5.68829e-007  A 8= 6.21340e-009  
各種データ
ズーム比      8.53 
広角     中間     望遠
焦点距離       4.90    14.24    41.76  
Fナンバー      3.29     4.69     6.07  
半画角        34.25    15.22     5.30  
像高           3.33     3.88     3.88  
レンズ全長    74.02    78.10    86.77  
BF            11.08     7.63    4.95 
d 5            0.80     8.56    17.30  
d11            4.56     0.88     0.81  
d15           12.34     4.83     0.40  
d23            1.65     9.16    13.59  
d25            4.68     8.13    10.81  
d27            8.55     5.10     2.42    
入射瞳位置    16.32    37.16    99.03  
射出瞳位置   -50.39   221.85    63.65  
前側主点位置  20.75    52.31   168.40  
後側主点位置  -4.40   -13.74   -41.26  
ズームレンズ群データ
群  始面    焦点距離  レンズ構成長  前側主点位置  後側主点位置
L1    1      36.85         7.61         0.73         -3.82
L2    6      -7.14         7.74         0.52         -5.84
UR   12       ∞           8.00         4.00         -4.00
L3   14     -69.49         0.65        -0.40         -0.77
L4   16      13.32        10.16         2.72         -6.61
L5   24     -16.30         0.80         0.40         -0.10
L6   26      16.10         3.00         1.01         -1.07
G   28       ∞           2.30         1.01         -1.01
単レンズデータ
レンズ  始面  焦点距離
1       1    -62.39
2       2     45.53
3       4     43.69
4       6     -7.63
5       8     -9.72
6      10     11.93
7      14    -69.49
8      16     14.11
9      19    -27.87
10      21     12.13
11      22    -29.67
12      24    -16.30
13      26     16.10
14      28      0.00
15      30      0.00
【手続補正１３】
【補正対象書類名】明細書
【補正対象項目名】００９７
【補正方法】変更
【補正の内容】
【００９７】
非球面データ
第7面
K = 0.00000e+000  A 4=-1.03449e-004  A 6= 3.79250e-006  A 8=-3.86219e-007  A10= 7.81047e-009  
第17面
K =-4.95493e-001  A 4=-4.59098e-005  A 6=-1.91545e-006  A 8= 2.21486e-008  
第18面
K =-3.97025e+001  A 4=-6.69292e-005  
第26面
K = 0.00000e+000  A 4=-6.32748e-005  A 6=-3.51836e-007  A 8= 9.47021e-010  
各種データ
ズーム比      9.50 
広角     中間     望遠
焦点距離       4.63    16.85    43.99  
Fナンバー      3.20     4.93     6.07  
半画角        35.75    12.95     5.03  
像高           3.33     3.88     3.88  
レンズ全長    71.86    78.24    83.88  
BF            10.30     5.78    5.08 
d 5            0.76    10.23    16.37  
d11            4.68     1.58     1.09  
d15            9.29     3.87     0.47  
d16            4.53     2.06     0.31  
d23            0.99     8.89    14.04  
d25            4.17     8.69     9.38  
d27            7.77     3.25     2.56   
入射瞳位置    14.81    42.45    86.91  
射出瞳位置  -259.46    72.75    59.45  
前側主点位置  19.36    63.23   163.73  
後側主点位置  -4.13   -16.35   -43.49  
ズームレンズ群データ
群  始面    焦点距離  レンズ構成長  前側主点位置  後側主点位置
L1    1      34.19         7.50         1.22         -3.28
L2    6      -6.69         7.60         0.48         -5.69
UR   12       ∞           7.00         1.86         -1.86
L3   14     -83.14         0.65        -0.40         -0.80
LS   16       ∞           0.00         0.00         -0.00
L4   17      12.71         9.43         2.14         -6.25
L5   24     -16.19         0.75         0.39         -0.08
L6   26      15.30         3.15         0.90         -1.27
G   28       ∞           2.30         1.01         -1.01
単レンズデータ
レンズ  始面  焦点距離
1       1    -56.01
2       2     42.77
3       4     39.31
4       6     -7.18
5       8     -9.16
6      10     11.47
7      12      0.00
8      14    -83.14
9      17     13.10
10      19    -25.03
11      21     10.39
12      22    -21.23
13      24    -16.19
14      26     15.30
15      28      0.00
16      30      0.00
【手続補正１４】
【補正対象書類名】明細書
【補正対象項目名】００９９
【補正方法】変更
【補正の内容】
【００９９】
非球面データ
第7面
K =-1.09678e-001  A 4=-4.44213e-005  A 6=-6.06895e-007  
第16面
K =-1.32529e+000  A 4= 8.46085e-005  A 6=-1.95426e-007  A 8=-5.16392e-010  
第17面
K = 2.21785e+001  A 4= 8.92541e-005  
第21面
K =-1.00040e+000  A 4=-3.56047e-005  A 6= 5.22400e-008  A 8=-2.19280e-008  
各種データ
ズーム比      6.83 
広角     中間     望遠
焦点距離       5.15    16.71    35.18  
Fナンバー      3.07     4.79     5.74  
半画角        32.89    13.05     6.29  
像高           3.33     3.88     3.88  
レンズ全長    76.38    83.02    89.12  
BF            8.30     8.50      7.55
d 5            0.97     8.64    15.43  
d11            2.70     1.67     0.98  
d15           17.69     4.28     0.30  
d22            0.97     6.39    12.10  
d24            8.76    16.54    15.77  
d27            5.77     5.98     5.02   
入射瞳位置    15.00    32.67    63.90  
射出瞳位置   -45.94   284.08   152.62  
前側主点位置  19.58    50.37   107.22  
後側主点位置  -4.65   -16.21   -34.68  
ズームレンズ群データ
群  始面    焦点距離  レンズ構成長  前側主点位置  後側主点位置
L1    1      37.94         6.20         1.20         -2.66
L2    6      -7.47         7.11         0.43         -5.47
UR   12       ∞           9.50         2.59         -2.59
L3   14    -124.75         0.60        -2.14         -2.59
L4   16      13.88         8.18         1.60         -5.62
L5   23     -30.65         0.70         0.26         -0.19
L6   25      23.39         3.40         0.57         -1.62
G   28       ∞           2.30         1.01         -1.01
単レンズデータ
レンズ  始面  焦点距離
1       1    -80.07
2       2     46.35
3       4     54.51
4       6     -8.06
5       8    -12.17
6      10     15.30
7      12      0.00
8      14   -124.75
9      16     13.16
10      19    -17.92
11      21     18.35
12      23    -30.65
13      25     17.86
14      26    -72.90
15      28      0.00
16      30      0.00
【手続補正１５】
【補正対象書類名】明細書
【補正対象項目名】０１０１
【補正方法】変更
【補正の内容】
【０１０１】
非球面データ
第7面
K = 1.49123e-001  A 4=-9.59483e-005  A 6=-2.72499e-006  A 8= 3.98916e-008  A10=-3.09588e-009  
第16面
K =-4.91752e-001  A 4=-2.37528e-005  A 6=-1.58510e-006  A 8= 5.38005e-008  
第17面
K =-2.47829e+002  A 4=-2.29333e-005  
第21面
K = 6.87148e+000  A 4= 5.32093e-005  A 6= 1.92409e-006  A 8=-6.46807e-008  A10=
1.22441e-009  
各種データ
ズーム比     11.35 
広角     中間     望遠
焦点距離       5.15    25.24    58.50  
Fナンバー      3.50     5.00     6.08  
半画角        33.19     8.73     3.79  
像高           3.37     3.88     3.88  
レンズ全長    76.76    81.32    86.26  
BF             9.89    13.06     7.34 
d 5            0.45    11.32    16.31  
d11            6.90     0.60     0.54  
d15           14.40     3.46     0.99  
d23            2.85    13.79    16.27  
d25            6.60     3.42     9.14  
d27            7.36    10.53     4.81    
入射瞳位置    15.18    53.87   113.71  
射出瞳位置   -45.74   -67.78   28103.68  
前側主点位置  19.76    69.78   172.34  
後側主点位置  -4.65   -24.74   -58.00  
ズームレンズ群データ
群  始面    焦点距離  レンズ構成長  前側主点位置  後側主点位置
L1    1      30.60         7.10         2.12         -2.38
L2    6      -7.19         6.80         0.48         -5.14
UR   12       ∞           8.50         2.35         -2.35
L3   14     -66.82         0.50        -0.44         -0.78
L4   16      14.37         8.90         1.36         -6.21
L5   24     -31.03         0.50         0.16         -0.16
L6   26      22.51         2.10         0.45         -0.98
G   28       ∞           2.30         1.01         -1.01
単レンズデータ
レンズ  始面  焦点距離
1       1    -59.37
2       2     44.14
3       4     35.74
4       6     -8.17
5       8    -11.14
6      10     14.23
7      12      0.00
8      14    -66.82
9      16     13.58
10      19    -23.55
11      21      8.52
12      22    -12.91
13      24    -31.03
14      26     22.51
15      28      0.00
16      30      0.00
【手続補正１６】
【補正対象書類名】明細書
【補正対象項目名】０１０３
【補正方法】変更
【補正の内容】
【０１０３】
非球面データ
第7面
K =-3.84786e-001  A 4= 6.27857e-005  A 6= 4.96701e-007  A 8= 9.99933e-008  A10=-9.53117e-010  
第16面
K =-6.90777e-001  A 4=-2.90468e-005  A 6=-2.03489e-007  A 8=-3.95408e-009  
第17面
K =-3.32420e+001  A 4=-5.36955e-005  
第26面
K = 0.00000e+000  A 4=-2.18835e-005  A 6=-5.64572e-008  A 8=-1.39247e-009  
各種データ
ズーム比     13.99 
広角     中間     望遠
焦点距離       5.15    16.68    72.05  
Fナンバー      3.31     4.55     6.07  
半画角        33.51    13.08     3.08  
像高           3.41     3.88     3.88  
レンズ全長    78.56    80.88    88.25  
BF            10.44    10.59    5.42 
d 5            0.68     7.70    16.59  
d11            7.04     2.34     0.83  
d15           13.16     4.60     0.30  
d23            1.26     9.82    14.12  
d25            7.34     7.20    12.37  
d27            7.92     8.06     2.89   
入射瞳位置    15.82    36.15   130.73  
射出瞳位置   -57.83  -183.97    88.89  
前側主点位置  20.51    51.32   261.52  
後側主点位置  -4.65   -16.18   -71.55  
ズームレンズ群データ
群  始面    焦点距離  レンズ構成長  前側主点位置  後側主点位置
L1    1      30.52         7.20         1.57         -2.83
L2    6      -7.82         8.13        -0.02         -6.97
UR   12       ∞           8.00         2.18         -2.18
L3   14     -38.35         0.60        -0.31         -0.64
L4   16      13.04         9.78         1.68         -6.60
L5   24     -20.67         0.70         0.34         -0.13
L6   26      18.74         3.15         0.76         -1.41
G   28       ∞           2.30         1.01         -1.01
単レンズデータ
レンズ  始面  焦点距離
1       1    -54.19
2       2     37.63
3       4     37.93
4       6     -7.15
5       8    -11.72
6      10     12.40
7      12      0.00
8      14    -38.35
9      16     13.33
10      19    -25.87
11      21     10.40
12      22    -19.09
13      24    -20.67
14      26     18.74
15      28      0.00
16      30      0.00
【手続補正１７】
【補正対象書類名】明細書
【補正対象項目名】０１０５
【補正方法】変更
【補正の内容】
【０１０５】
非球面データ
第7面
K =-1.22408e-002  A 4=-7.64686e-005  
第14面
K =-1.76907e+000  A 4= 7.06284e-005  A 6= 3.37752e-006  A 8=-2.21321e-007  
第15面
K = 2.37349e+007  A 4=-1.08046e-004  
第19面
K = 1.09850e+001  A 4= 1.34385e-005  
各種データ
ズーム比      9.47 
広角     中間     望遠
焦点距離       5.13    14.47    48.60  
Fナンバー      3.60     4.86     5.74  
半画角        33.31    14.99     4.56  
像高           3.37     3.88     3.88  
レンズ全長    68.00    70.39    77.88  
BF            5.35     9.26     2.77 
d 5            0.69     6.04    14.57  
d11            4.06     1.10     0.06  
d13           13.37     3.60    -0.15  
d21           10.39    16.25    26.49  
d24            4.19     8.10     1.61   
入射瞳位置    15.45    29.30    99.04  
射出瞳位置   -24.89   -42.72   -89.12  
前側主点位置  19.54    38.93   121.28  
後側主点位置  -4.63   -13.97   -48.10  
ズームレンズ群データ
群  始面    焦点距離  レンズ構成長  前側主点位置  後側主点位置
L1    1      28.75         7.70         1.67         -2.93
L2    6      -6.09         6.90         0.64         -4.89
UR   12       ∞           8.00         2.18         -2.18
L3   14      14.91         8.30         1.32         -5.43
L4   22      41.23         2.90        -3.00         -4.29
G   25       ∞           1.00         0.33         -0.33
単レンズデータ
レンズ  始面  焦点距離
1       1    -49.86
2       2     36.62
3       4     34.68
4       6     -7.31
5       8     -9.62
6      10     13.33
7      12      0.00
8      14     17.25
9      17    -36.70
10      19      7.61
11      20    -10.96
12      22     24.79
13      23    -54.80
14      25      0.00
【手続補正１８】
【補正対象書類名】明細書
【補正対象項目名】０１０７
【補正方法】変更
【補正の内容】
【０１０７】
非球面データ
第7面
K = 0.00000e+000  A 4=-9.39007e-005  A 6=-2.47950e-006  A 8= 3.06773e-008  A10=-3.95563e-009  
第14面
K =-7.17496e-002  A 4=-1.30618e-004  A 6=-1.93409e-007  A 8=-3.88670e-008  
第15面
K =-2.60059e+001  A 4=-4.10954e-005  
第24面
K = 0.00000e+000  A 4=-1.02776e-004  A 6=-3.84889e-007  A 8=-3.46352e-009  
各種データ
ズーム比      9.50 
広角     中間     望遠
焦点距離       5.00    23.92    47.52  
Fナンバー      3.13     5.63     6.50  
半画角        37.78     9.20     4.66  
像高           3.88     3.88     3.88  
レンズ全長    79.87    88.03    94.48  
BF           10.92     6.02     4.95 
d 5            0.93    13.11    19.89  
d11            5.28     1.26     0.94  
d13           15.44     3.48     0.61  
d21            0.81    12.76    15.63  
d23            5.78    10.67    11.74  
d25            8.39     3.50     2.43   
入射瞳位置    15.44    48.72    93.59  
射出瞳位置   -79.20    48.05    40.42  
前側主点位置  20.12    84.68   197.67  
後側主点位置  -4.50   -23.42   -47.02  
ズームレンズ群データ
群  始面    焦点距離  レンズ構成長  前側主点位置  後側主点位置
L1    1      42.08         7.32         0.68         -3.71
L2    6      -6.67         8.30         0.68         -6.05
UR   12       ∞           9.00         2.45         -2.45
L3   14      14.32        10.73         2.13         -7.17
L4   22     -16.18         0.80         0.42         -0.08
L5   24      15.23         4.30         1.48         -1.57
G   26       ∞           2.30         1.01         -1.01
単レンズデータ
レンズ  始面  焦点距離
1       1    -68.91
2       2     51.07
3       4     49.49
4       6     -7.59
5       8     -9.58
6      10     12.71
7      12      0.00
8      14     14.47
9      17    -26.95
10      19     12.27
11      20    -25.81
12      22    -16.18
13      24     15.23
14      26      0.00
15      28      0.00